【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
障害者によるＷｅｂページへのアクセシビリティをチェックするアクセシビリティチェックシミュレーション装置におけるアクセシビリティチェックシミュレーション方法において、
障害者の症状をモデル化した障害特性パラメータを障害特性パラメータ格納部に記憶格納し、前記障害特性パラメータを使用して、Ｗｅｂページ変換処理部がＷｅｂページの変換を行って変更結果出力部に記憶し、
前記障害特性パラメータ格納部は、予めユーザにより作成された外部定義ファイル内から選択された障害特性パラメータを格納し、
前記Ｗｅｂページ変換処理部は、入力として与えられたＷｅｂページの内容を、前記障害特性パラメータ格納部内の障害特性パラメータを用いてページ変換を行い、
前記変更結果出力部は、前記Ｗｅｂページ変換処理部によってページ変換されたＷｅｂページ、ＨＴＭＬ文書を出力することを特徴とするアクセシビリティチェックシミュレーション方法。
【請求項２】
障害者によるＷｅｂページへのアクセシビリティをチェックするアクセシビリティチェックシミュレーション装置におけるアクセシビリティチェックシミュレーション方法において、
コンピュータシステム内に、障害者が持つ各症状をモデル化した障害特性パラメータを格納する障害特性パラメータ格納部と、障害特性パラメータを使用してＷｅｂページの変換を行うＷｅｂページ変換処理部と、変換されたＷｅｂページ内の構成要素を個別に変換するコンテンツ操作部と、変更結果出力部とを備えて、前記アクセシビリティチェックシミュレーション装置を構成し、
前記障害特性パラメータ格納部には、ユーザにより作成された外部定義ファイル内から選択された障害特性パラメータが格納されており、
前記Ｗｅｂページ変換処理部は、入力として与えられたＷｅｂページの内容を、前記障害特性パラメータ格納部内の障害特性パラメータを用いてページ変換を行い、
前記コンテンツ操作部は、ページ変換されたＷｅｂページ内に含まれる構成要素に対する変換処理を選択して、操作対象となる構成要素に対する項目の表示スタイルの変更を行い、
前記変更結果出力部は、前記Ｗｅｂページ変換処理部、または、前記コンテンツ操作部によって変換されたＷｅｂページ、ＨＴＭＬ文書を出力することを特徴とするアクセシビリティチェックシミュレーション方法。
【請求項３】
請求項１または２記載のアクセシビリティチェックシミュレーション方法において、
前記Ｗｅｂページ変換処理部は、前記障害特性パラメータ格納部から１または複数の障害特性パラメータを選択し、選択した障害特性パラメータを用いてページ変換を行うことを特徴とするアクセシビリティチェックシミュレーション方法。
【請求項４】
請求項１または２記載のアクセシビリティチェックシミュレーション方法において、
前記障害特性パラメータは、障害の症状と、その症状を持つ障害者の立場から閲覧したと同一の現象を生じさせる変換処理であるメソッドとにより構成されることを特徴とするアクセシビリティチェックシミュレーション方法。
【請求項５】
障害者によるＷｅｂページへのアクセシビリティをチェックするアクセシビリティチェックシミュレーション装置において、
障害者の症状をモデル化した障害特性パラメータを障害特性パラメータ格納部に記憶格納し、前記障害特性パラメータを使用して、Ｗｅｂページ変換処理部がＷｅｂページの変換を行って変更結果出力部に記憶し、
前記障害特性パラメータ格納部は、予めユーザからの指示により作成された外部定義ファイル内から選択された障害特性パラメータを格納し、
前記Ｗｅｂページ変換処理部は、ユーザからの指示として得たＷｅｂページの内容を、前記障害特性パラメータ格納部内の障害特性パラメータを用いてページ変換を行い、
前記変更結果出力部は、前記Ｗｅｂページ変換処理部によってページ変換されたＷｅｂページ、ＨＴＭＬ文書を出力することを特徴とするアクセシビリティチェックシミュレーション装置。
【手続補正２】
【補正対象書類名】明細書
【補正対象項目名】発明の名称
【補正方法】変更
【補正の内容】
【発明の名称】アクセシビリティチェックシミュレーション方法及び装置
【手続補正３】
【補正対象書類名】明細書
【補正対象項目名】０００１
【補正方法】変更
【補正の内容】
【０００１】
本発明は、アクセシビリティチェックシミュレーション方法及び装置に係り、特に、ＷｅｂアプリケーションやＷｅｂページに対する障害者によるアクセシビリティをチェックするために用いて好適なアクセシビリティチェックシミュレーション方法及び装置に関する。
【手続補正４】
【補正対象書類名】明細書
【補正対象項目名】０００９
【補正方法】変更
【補正の内容】
【０００９】
本発明の目的は、前述した従来技術の問題点を解決し、チェック対象のＷｅｂページに対して、本発明による変換処理を行ったＷｅｂページを表示することにより、障害者の立場からＷｅｂページを閲覧し、操作することを可能とし、アクセシビリティ上の問題点の検出を容易とするアクセシビリティチェックシミュレーション方法及び装置を提供することにある。
【手続補正５】
【補正対象書類名】明細書
【補正対象項目名】００１０
【補正方法】変更
【補正の内容】
【００１０】
本発明によれば前記目的は、障害者によるＷｅｂページへのアクセシビリティをチェックするアクセシビリティチェックシミュレーション装置におけるアクセシビリティチェックシミュレーション方法において、障害者の症状をモデル化した障害特性パラメータを障害特性パラメータ格納部に記憶格納し、前記障害特性パラメータを使用して、Ｗｅｂページ変換処理部がＷｅｂページの変換を行って変更結果出力部に記憶し、前記障害特性パラメータ格納部は、予めユーザにより作成された外部定義ファイル内から選択された障害特性パラメータを格納し、前記Ｗｅｂページ変換処理部は、入力として与えられたＷｅｂページの内容を、前記障害特性パラメータ格納部内の障害特性パラメータを用いてページ変換を行い、前記変更結果出力部は、前記Ｗｅｂページ変換処理部によってページ変換されたＷｅｂページ、ＨＴＭＬ文書を出力することにより達成される。
【手続補正６】
【補正対象書類名】明細書
【補正対象項目名】００１１
【補正方法】変更
【補正の内容】
【００１１】
また、前記目的は、障害者によるＷｅｂページへのアクセシビリティをチェックするアクセシビリティチェックシミュレーション装置におけるアクセシビリティチェックシミュレーション方法において、コンピュータシステム内に、障害者が持つ各症状をモデル化した障害特性パラメータを格納する障害特性パラメータ格納部と、障害特性パラメータを使用してＷｅｂページの変換を行うＷｅｂページ変換処理部と、変換されたＷｅｂページ内の構成要素を個別に変換するコンテンツ操作部と、変更結果出力部とを備えて、前記アクセシビリティチェックシミュレーション装置を構成し、前記障害特性パラメータ格納部には、ユーザにより作成された外部定義ファイル内から選択された障害特性パラメータが格納されており、前記Ｗｅｂページ変換処理部は、入力として与えられたＷｅｂページの内容を、前記障害特性パラメータ格納部内の障害特性パラメータを用いてページ変換を行い、前記コンテンツ操作部は、ページ変換されたＷｅｂページ内に含まれる構成要素に対する変換処理を選択して、操作対象となる構成要素に対する項目の表示スタイルの変更を行い、前記変更結果出力部は、前記Ｗｅｂページ変換処理部、または、前記コンテンツ操作部によって変換されたＷｅｂページ、ＨＴＭＬ文書を出力することにより達成される。
【手続補正７】
【補正対象書類名】明細書
【補正対象項目名】００１３
【補正方法】変更
【補正の内容】
【００１３】
以下、本発明によるアクセシビリティチェックシミュレーション方法及び装置の実施形態を図面により詳細に説明する。なお、以下の説明では、シミュレーション装置をシミュレータと表記することとする。